(57)【要約】【課題】電熱ポットのプラグ受けの内面側から胴部材の内方に突き出す量を短縮することにより、内部構造や外観形状に影響を与えないようにすることである。【解決手段】一対の電極ピン２５を有するプラグ受け８を胴部材４に取付け、前記電極ピン２５にリード線３７を接続した電熱器具のプラグ受け装置において、前記リード線３７の先端に接続端子３８を設け、その接続端子３８を前記電極ピン２５に対し直交する向きに配置して固着するとともに、該接続端子３８に接続されたリード線３７を前記プラグ受け８の上側面から外部に引き出した構成とした。【選択図】図５
2005130933.tif 000002
【特許請求の範囲】
【請求項１】
一対の電極ピンを有するプラグ受けを器具本体に取付け、前記電極ピンにリード線を接続した電熱器具のプラグ受け装置において、前記リード線の先端に接続端子を設け、その接続端子を前記電極ピンに対し直交する向きに配置して固着するとともに、該接続端子に接続されたリード線を前記プラグ受けの側面から外部に引き出したことを特徴とする電熱器具のプラグ受け装置。
【請求項２】
前記リード線の途中に接続コネクタを介在したことを特徴とする請求項１に記載の電熱器具のプラグ受け装置。
【請求項３】
前記接続コネクタを制御基板ボックス内に収納したことを特徴とする請求項２に記載の電熱器具のプラグ受け装置。
【請求項４】
前記制御基板ボックスに基板収納部とコネクタ収納部を隔壁を介して設けたことを特徴とする請求項３に記載の電熱器具のプラグ受け装置。
【請求項５】
前記プラグ受けの内面に前記電極ピン、接続端子等の充電部をカバーする絶縁板を取付けたことを特徴とする請求項１から４のいずれかに記載の電熱器具のプラグ受け装置
【発明の詳細な説明】
【技術分野】
【０００１】
この発明は、ポット、電気鍋等の電熱器具におけるプラグ受け装置に関するものである。
【背景技術】
【０００２】
電熱器具においては、電源コードのプラグを着脱自在に接続するためのプラグ受けが取付けられる。器具本体の取付け穴に前記のプラグ受けを取付け、そのプラグ受けの電極ピンにリード線を接続した構成をここではプラグ受け装置と呼ぶこととする。
【０００３】
前記の電源コード側のプラグには、一対の雌型電極ピンと磁石片が設けられ、器具本体側のプラグ受けにはこれらと対応して一対の雄型電極ピンと磁性体片が設けられる。プラグ受けの電極ピンにはリード線が接続され、そのリード線を通じて内部のヒーター、制御基板等に電源が供給される（特許文献１参照）。
【０００４】
前記のリード線と電極ピンとの接続構造は、前記の特許文献１に示されているように、電極ピンにねじ穴を有する扁平な接続部を設け、リード線の端部に設けた圧着型接続端子の穴部を前記のねじ穴に重ね、両者を電極ピンと直角方向にねじ込んだビスにより接続する構造が採られる。この接続構造によると、接続端子はプラグ受けの内端面から電極ピンの長さ方向に突き出し、その突き出し端部にリード線が接続され、リード線の他端部は器具本体内部に延び出しヒーター等に接続される。
【０００５】
前記の穴付き圧着型接続端子に代え、かしめ部を有する圧着型接続端子（タブ・オン接続端子）を用い、カシメ部を電極端子にかしめる構造をとる場合もあるが、この場合も前記と同様に、接続端子はプラグ受けの内端面から電極ピンの長さ方向に突き出し、その突き出し端部にリード線が接続される構造がとられる。
【特許文献１】特開平９−２８３２２８号公報（実施例、図１）
【発明の開示】
【発明が解決しようとする課題】
【０００６】
上記の接続構造によると、電極ピンにねじ穴が必要であるため電極ピンの長さの短縮化には限度があるとともに、そのねじ穴に接続される接続端子が器具本体の内部に向けて突き出す構造となる。また、タブ・オン端子を用いたものは、ねじ穴が不要な分だけ電極ピンの短縮化は可能であるが、接続端子が器具本体の内部に向けて突き出す構造となる点では前記のものと異ならない。
【０００７】
このように、プラグ受け装置の一部が器具本体の内部に向けて突き出した構造は、ポット等の電熱器具の内部構造に制限をもたらす。たとえば、ポットにおいて、熱効率を上げるべく内容器を囲む断熱ジャケットを設け、その断熱ジャケットの下端部を器具本体の底面近くまで下方に延ばした構造を採用しようとする場合、器具本体の底面近くに設けられたプラグ受け装置の突き出した部分と干渉することになる。その干渉を防止する対策としては、器具本体の胴部材の径を拡大する手段と、胴部材の径をそのままとしプラグ受けの取付け位置を胴部材の外方にずらせる手段がある。
【０００８】
しかし、胴部材の径を拡大することは器具のコンパクト化の要請に反する。また、プラグ受けの取付け位置を外方にずらせることは、器具の外観形状を損なう不都合がある。
【０００９】
そこで、この発明はプラグ受け装置の薄型化を図ることにより、内部構造に対する影響を無くするとともに、外観形状への影響をもたらさないようにすることを課題とする。
【課題を解決するための手段】
【００１０】
前記の課題を解決するために、この発明は、一対の電極ピンを有するプラグ受けを器具本体に取付け、前記電極ピンにリード線を接続した電熱器具のプラグ受け装置において、前記リード線の先端に接続端子を設け、その接続端子を前記電極ピンに対し直交する向きに配置して固着するとともに、該接続端子に接続されたリード線を前記プラグ受けの側面から外部に引き出した構造を採用した。
【００１１】
上記の構造によると、接続端子とそれに接続されたリード線はプラグ受けの側面の方向に配線されるので、電極ピンとこれに接続された接続端子の内方への突き出し量が従来の場合より減少する。なお、ここにいう「側面」は左右両側面と上下両側面を含むものである。
【００１２】
前記リード線の途中に接続コネクタを介在した構造をとることが望ましい。即ち、電極ピンと接続端子の接続はかしめ等により固着する構造が一般的であるが、そのかしめ等の固着作業の作業性を上げるために、プラグ受けとリード線はともに器具本体から分離された状態で行う必要がある。プラグ受けは器具本体の取付け穴に差込んで取付けられるため、その着脱は容易であるが、リード線の端部はヒーターや制御基板に接続されているので、そのままでは分離不可能である。そこで、前記の接続コネクタを設け、その部分でプラグ受け側のリード線を分離できるようにする。
【００１３】
なお、前記接続コネクタを制御基板ボックス内に収納した構成や、前記制御基板ボックスに基板収納部とコネクタ収納部を隔壁を介して設けた構成、その他前記プラグ受けの内面に前記電極ピン、接続端子等の充電部をカバーする絶縁板を取付けた構成を採ることもできる。
【発明の効果】
【００１４】
以上のように、この発明に係る電熱器具のプラグ装置は、電極ピンやその電極ピンに固着される接続端子が器具本体の内方への突き出す量が少なくなり、全体として薄型に形成されるので、器具本体の内部構造に対する影響及び外観形状に対する影響を無くすることができる。また、リード線の途中に接続コネクタを介在させたことにより、リード線とプラグ受けとの接続作業を容易に行うことができる。また、その接続コネクタを制御基板ボックスに収納することにより、接続コネクタへの水の侵入を防止し、十分に絶縁を図ることができる。
【発明を実施するための最良の形態】
【００１５】
以下、この発明の実施するための最良の形態を添付図面に基づいて説明する。
【実施例１】
【００１６】
図１は、この発明に係るプラグ受け装置を備えた電気ポットの一例である。この電気ポットは、ポット本体１の内部に内容器２を収納するとともに、蓋３を開閉自在に取付けている。ポット本体１は、胴部材４とその上端部に設けられた肩部材５とからなる。胴部材４の前面に前面パネル７が取付けられ、後面下端近傍にプラグ受け８（図３参照）が取付けられる。また、肩部材５の前端部にノーズ部９が設けられ、そのノーズ部９に操作部１１が設けられる。ノーズ部９の下板１０に吐出口用開口１２が設けられ、そのノーズ部９と反対側において前記の蓋３がヒンジ１３を介して取付けられる。ハンドル１４は半環状に形成され、その両端部が肩部材５の両側面に回転自在に取付けられる。
【００１７】
図２は前記の電気ポットを上下逆転した状態の分解斜視図であり、前記の胴部材４、肩部材５、内容器２のほか、内容器２の外部に嵌合される断熱ジャケット１５、胴部材４の底面の開口を閉塞する底板１６、内容器２の底面に装着されたポンプ１７、水位管１８、吐出口１９、制御基板ボックス２１等が示されている。
【００１８】
図３は組立て状態の断面図であり、内容器２の底部に設けたヒーター２２のほか、前記の制御基板ボックス２１の取付け部２１ａを足金具２０と底板１６との間で胴部材４の底面部４ａとともに挟持し、ビス２３により固定した状態を示している。
【００１９】
前記のプラグ受け８は、図４（ａ）から（ｄ）に示したように、フェノール樹脂等の耐熱性合成樹脂により形成されたプラグ受け本体２４と、左右一対の電極ピン２５、２５及び磁性体片２６とからなる。プラグ受け本体２４は前面に四角枠形のガイド壁２７を有する嵌合部２８が形成され、その嵌合部２８に前記一対の電極ピン２５、２５の外端部が突き出す。プラグ受け８の裏面において各電極ピン２５の内端側が若干突き出し、かしめ部２９、２９となっている。そのかしめ部２９、２９の間に隔壁３１が設けられる。
【００２０】
また、ガイド壁２７の外側に外向きの係合つば３０が設けられ、内面側の左右側壁に後方に突き出した係合爪３２、３２が設けられる。係合爪３２、３２によって後述のように胴部材４の取付け穴３３に係合される。さらに、前記のかしめ部２９、２９の上部に相互に対向した内向きの開口を有する平面視コの字形の係合部３４、３４が設けられる。また、前記係合爪３２、３２の上部に側面視コの字形のマイカ板係合部３５、３５が設けられ、前記隔壁３１の下端にマイカ板受け板３６が設けられる。
【００２１】
前記構造のプラグ受け８に対する２本のリード線３７、３７の接続構造は、図５（ａ）から（ｃ）に示したように、予めその各リード線３７の端部に穴付き圧着型の接続端子３８を接続し、その接続端子３８を電極ピン２５に対して直交する方向、即ち、プラグ受け本体２４の内面に沿う方向に配置して、その穴部を電極ピン２５のかしめ部２９に嵌合する。そして、リード線３７を係合部３４の内側に嵌め、プラグ受け本体２４の上側面から外部に引き出す。その後かしめ部２９にかしめを施して接続端子３８を電極ピン２５に固着させる。
【００２２】
前記のプラグ受け８は、胴部材４の底面近傍に設けた取付け穴３３に嵌合され、取付け穴３３の左右両側縁に内側に向けて設けた弾性係止片３９に前記の係合爪３２を掛け、係合つば３０を取付け穴３３の外面側側縁に設けた突条４１に係合させることにより取付ける。
【００２３】
また、マイカ板４０を前記の隔壁３１背面に当て、マイカ板受け板３６上に載せるとともに、その受け板３６に設けたスリット４２に突片４３を差し込んで支持させ、さらに上端マイカ板係合部３５により保持する。そのマイカ板４０によってかしめ部２９、接続端子３８等の充電部分をカバーする。マイカ板４０に代えてその他の絶縁板でもよい。
【００２４】
上記のように、リード線３７を接続したプラグ受け８を胴部材４の取付け穴３３に取付けた状態で、図５（ｂ）に示したように、電極ピン２５、接続端子３８、リード線３７等は、すべてプラグ受け本体２４の幅Ｌ内に収まる。
【００２５】
次に、前記のリード線３７の処理を図６及び図７に基づいて説明する。前記のようにしてプラグ受け８の上側面から上方に引き出されたリード線３７は、器具本体１のヒーター２２や制御基板ボックス２１等に接続されるが、その途中において接続コネクタ４４が介在される。その接続コネクタ４４の部分でリード線３７は、接続コネクタ４４側の分離側リード線３７ａ（図６参照）と、器具本体１側の固定側リード線３７ｂに分離可能である。プラグ受け８の電極ピン２５に対するリード線３７のかしめ作業に際しては、接続コネクタ４４の部分で分離された分離側リード線３７ａと、器具本体１から分離されたプラグ受け８とを接続することにより、その作業を容易に行うことができる。
【００２６】
次に、前記接続コネクタ４４への水等の浸入の防護手段について説明する。前記の制御基板ボックス２１は、基板収納部４５とコネクタ収納部４６が隔壁４７により区画して設けられ、そのコネクタ収納部４６に前記の接続コネクタ４４が収納され（図６の一点鎖線矢印参照）、該制御基板ボックス２１にボックス形の蓋４８を嵌合し、内部を密閉する（図７参照）。これにより、接続コネクタ４４に水が侵入することを防止するとともに、基板収納部４５に収納された基板上の電子部品と電源との短絡を防止することができる。
【００２７】
図８は、前記プラグ受け８の胴部材４に対する周方向の位置関係を示している。即ち、胴部材４はその前面の左右両側に膨出部４９、４９を有し、その一方の膨出部４９に前記の水位管１８が配置され、他方の膨出部４９に断熱ジャケット１５の真空排気用のチップ管５０が配置される。胴部材４の後部は真円の内容器２、これと同芯の真円の断熱ジャケット１５に対して若干後方に楕円形状に膨らんだ形状をなし、両側面に比べやや広い間隔を設けている。その部分に電池ケース５１と前記のプラグ受け８が左右に併設される。
【００２８】
胴部材４の取付け穴３３に取付けられたプラグ受け８、これに接続されたリード線３７、リード線３７の途中に介在された接続コネクタ４４を含む範囲がプラグ装置を構成している。
【００２９】
次に、付帯的な構造について図９、図１０に基づいて説明する。図９は、前記の胴部材４、肩部材５、前面パネル７、下板１０、ハンドル１４等を表わし、また胴部材４の前面上端縁に設けた凹部６０を表わしている。ここで、特異な構造の一つはハンドル１４の取付け構造にある。即ち、肩部材５の左右側面にその下端に開放された切欠き部５３が設けられ、その切欠き部５３にハンドル１４の先端部内面に設けた回転軸５４を嵌合するようにしている。その場合に、回転軸５４の下方に生じた切欠き部５３のすき間を閉塞すべく、胴部材４の上端縁に上向きに突き出した閉塞片５５を設け、これをそのすき間に嵌合するようにしている（図１０（ａ）（ｂ）参照）。
【００３０】
また、特異な構造のもう一つは、胴部材４の膨出部４９、４９の上部に設けた貫通穴５６である。前述のように胴部材４の前面には前面パネル７が取付けられるが、その取付け面５７はその範囲を画定する段差部５８の内側が薄く形成される。その取付け面５７を成形する金型の離型時に段差部５８のうち胴部材４の上端に近い部分に、いわゆる「めくれ」５９（図１０（ｅ）参照）が生じ、胴部材４の外観を損なう場合がある。前記の貫通穴５６をその段差部５８の上辺の直下に設けると、「めくれ」５９の発生を防ぐことができる。貫通穴５６の周辺に「めくれ」５９’が生じるが（図１０（ｄ）参照）、この部分は前面パネル７によって隠れる部分であるので問題とならない。
【図面の簡単な説明】
【００３１】
【図１】実施例１のプラグ受け装置を用いた電気ポットの斜視図
【図２】同上の分解斜視図
【図３】同上の断面図
【図４】（ａ）同上のプラグ受けの正面図、（ｂ）（ａ）図のｂ−ｂ線の断面図、（ｃ）同上のプラグ受けの平面図、（ｄ）同上のプラグ受けの斜視図
【図５】（ａ）同上のプラグ受けの使用状態の一部切欠縦断背面図、（ｂ）（ａ）図のｂ−ｂ線の断面図、（ｃ）（ｂ）図のｃ―ｃ線の断面図
【図６】同上の底面部分の分解斜視図
【図７】同上の底面部分の分解斜視図
【図８】同上の横断平面図
【図９】同上の一部分解斜視図
【図１０】（ａ）同上の胴部材の一部側面図、（ｂ）（ａ）図のｂ−ｂ線の断面図、（ｃ）（ｂ）図のｃ−ｃ線の断面図、（ｄ）（ｂ）図のｄ−ｄ線の断面図、（ｅ）「めくれ」の説明のための断面図
【符号の説明】
【００３２】
１  ポット本体
２  内容器
３  蓋
４  胴部材
４ａ  底面部
５  肩部材
７  前面パネル
８  プラグ受け
９  ノーズ部
１０  下板
１１  操作部
１２  吐出口用開口
１３  ヒンジ
１４  ハンドル
１５  断熱ジャケット
１６  底板
１７  ポンプ
１８  水位管
１９  吐出口
２０  足金具
２１  制御基板ボックス
２１ａ  取付け部
２２  ヒーター
２３  ビス
２４  プラグ受け本体
２５  電極ピン
２６  磁性体片
２７  ガイド壁
２８  嵌合部
２９  かしめ部
３０  係合つば
３１  隔壁
３２  係合爪
３３  取付け穴
３４  係合部
３５  マイカ板係合部
３６  マイカ板受け板
３７  リード線
３７ａ  分離側リード線
３７ｂ  固定側リード線
３８  接続端子
３９  弾性係止片
４０  マイカ板
４１  突条
４２  スリット
４３  突片
４４  接続コネクタ
４５  基板収納部
４６  コネクタ収納部
４７  隔壁
４８  蓋
４９  膨出部
５０  チップ管
５１  電池ケース
５２  下板
５３  切欠き部
５４  回転軸
５６  貫通穴
５７  取付け面
５８  段差部
５９、５９’  めくれ
６０  凹部
【図１】
2005130933.tif 000003
【図２】
2005130933.tif 000004
【図３】
2005130933.tif 000005
【図４】
2005130933.tif 000006
【図５】
2005130933.tif 000007
【図６】
2005130933.tif 000008
【図７】
2005130933.tif 000009
【図８】
2005130933.tif 000010
【図９】
2005130933.tif 000011
【図１０】
2005130933.tif 000012